【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
所定の後処理装置を接続可能な印刷装置であって、
長辺側を先端として封筒を搬送するロングエッジフィードまたは短辺側を先端として封筒を搬送するショートエッジフィードで封筒を搬送する搬送手段と、
前記搬送手段によって搬送される封筒に画像を印刷する印刷手段と、
前記所定の後処理装置が接続されているか否かを判定する判定手段と、
前記判定手段によって前記所定の後処理装置が接続されていると判定されたことに基づき、前記ロングエッジフィードでの封筒の搬送を制限する制限手段と、
を備えることを特徴とする印刷装置。
【請求項２】
所定の後処理装置を接続可能な印刷装置であって、
封筒を保持する保持手段と、
長辺側を先端として封筒を搬送するロングエッジフィードまたは短辺側を先端として封筒を搬送するショートエッジフィードで、前記保持手段に保持された封筒を搬送する搬送手段と、
前記搬送手段によって搬送される封筒に画像を印刷する印刷手段と、
前記所定の後処理装置が接続されているか否かを判定する判定手段と、
前記判定手段によって前記所定の後処理装置が接続されていると判定されたことに基づき、前記ロングエッジフィードでの封筒が搬送されるように前記保持手段が封筒を保持することを制限する制限手段と、
を備えることを特徴とする印刷装置。
【請求項３】
所定の後処理装置を接続可能な印刷装置であって、
封筒を保持する保持手段と、
長辺側を先端として封筒を搬送するロングエッジフィードまたは短辺側を先端として封筒を搬送するショートエッジフィードで、前記保持手段に保持された封筒を搬送する搬送手段と、
前記搬送手段によって搬送される封筒に画像を印刷する印刷手段と、
前記保持手段に保持された封筒が、前記ロングエッジフィードで搬送されるように保持されているか、前記ショートエッジフィードで搬送されるように保持されているかを登録する登録手段と、
前記所定の後処理装置が接続されているか否かを判定する判定手段と、
前記判定手段によって前記所定の後処理装置が接続されていると判定されたことに基づき、前記ロングエッジフィードで搬送されるように封筒が保持されていると前記登録手段により登録することを制限する制限手段と、
を備えることを特徴とする印刷装置。
【請求項４】
前記印刷装置は、前記印刷手段によって画像が印刷された封筒を排出するための経路であって、前記ロングエッジフィードで搬送される封筒を搬送可能な第１経路及び前記ロングエッジフィードで搬送される封筒を搬送不可能な第２経路を備え、
前記所定の後処理装置が接続された場合は、前記第１経路を用いた封筒の搬送が不可能になることを特徴とする請求項１乃至３のいずれか１項に記載の印刷装置。
【請求項５】
前記所定の後処理装置が接続された場合は、前記第１経路を用いて搬送される場合の排出口が前記後処理装置によって塞がれることを特徴とする請求項４に記載の印刷装置。
【請求項６】
複数種類の後処理装置を接続可能な印刷装置であって、
長辺側を先端として封筒を搬送するロングエッジフィードまたは短辺側を先端として封筒を搬送するショートエッジフィードで封筒を搬送する搬送手段と、
前記搬送手段によって搬送される封筒に画像を印刷する印刷手段と、
接続されている後処理装置が第１の種類の後処理装置である場合は、前記ロングエッジフィードでの封筒の搬送を制限し、接続されている後処理装置が第２の種類の後処理装置である場合は、前記ロングエッジフィードでの封筒の搬送を制限しないよう制御する制御手段と、
を備えることを特徴とする印刷装置。
【請求項７】
複数種類の後処理装置を接続可能な印刷装置であって、
封筒を保持する保持手段と、
長辺側を先端として封筒を搬送するロングエッジフィードまたは短辺側を先端として封筒を搬送するショートエッジフィードで、前記保持手段に保持された封筒を搬送する搬送手段と、
前記搬送手段によって搬送される封筒に画像を印刷する印刷手段と、
接続されている後処理装置が第１の種類の後処理装置である場合は、前記ロングエッジフィードでの封筒が搬送されるように前記保持手段が封筒を保持することを制限し、接続されている後処理装置が第２の種類の後処理装置である場合は、前記ロングエッジフィードでの封筒が搬送されるように前記保持手段が封筒を保持することを制限しないよう制御する制御手段と、
を備えることを特徴とする印刷装置。
【請求項８】
複数種類の後処理装置を接続可能な印刷装置であって、
封筒を保持する保持手段と、
長辺側を先端として封筒を搬送するロングエッジフィードまたは短辺側を先端として封筒を搬送するショートエッジフィードで、前記保持手段に保持された封筒を搬送する搬送手段と、
前記搬送手段によって搬送される封筒に画像を印刷する印刷手段と、
前記保持手段に保持された封筒が、前記ロングエッジフィードで搬送されるように保持されているか、前記ショートエッジフィードで搬送されるように保持されているかを登録する登録手段と、
接続されている後処理装置が第１の種類の後処理装置である場合は、前記ロングエッジフィードで搬送されるように封筒が保持されていると前記登録手段により登録することを制限し、接続されている後処理装置が第２の種類の後処理装置である場合は、前記ロングエッジフィードで搬送されるように封筒が保持されていると前記登録手段により登録することを制限しないよう制御する制御手段と、
を備えることを特徴とする印刷装置。
【請求項９】
前記印刷装置は、前記印刷手段によって画像が印刷された封筒を排出するための経路であって、前記ロングエッジフィードで搬送される封筒を搬送可能な第１経路及び前記ロングエッジフィードで搬送される封筒を搬送不可能な第２経路を備え、
前記第１の種類の後処理装置が接続された場合は、前記第１経路を用いた封筒の搬送が不可能になることを特徴とする請求項６乃至８のいずれか１項に記載の印刷装置。
【請求項１０】
前記第１の種類の後処理装置が接続された場合は、前記第１経路を用いて搬送される場合の排出口が前記後処理装置によって塞がれることを特徴とする請求項９に記載の印刷装置。
【請求項１１】
所定の後処理装置を接続可能な印刷装置の制御方法であって、
長辺側を先端として封筒を搬送するロングエッジフィードまたは短辺側を先端として封筒を搬送するショートエッジフィードで封筒を搬送する搬送工程と、
前記搬送工程で搬送される封筒に画像を印刷する印刷工程と、
前記所定の後処理装置が接続されているか否かを判定する判定工程と、
前記判定工程で前記所定の後処理装置が接続されていると判定されたことに基づき、前記ロングエッジフィードでの封筒の搬送を制限する制限工程と、
を有することを特徴とする印刷装置の制御方法。
【請求項１２】
所定の後処理装置を接続可能であり、封筒を保持する保持手段を備えた印刷装置の制御方法であって、
長辺側を先端として封筒を搬送するロングエッジフィードまたは短辺側を先端として封筒を搬送するショートエッジフィードで、前記保持手段に保持された封筒を搬送する搬送工程と、
前記搬送工程で搬送される封筒に画像を印刷する印刷工程と、
前記所定の後処理装置が接続されているか否かを判定する判定工程と、
前記判定工程で前記所定の後処理装置が接続されていると判定されたことに基づき、前記ロングエッジフィードでの封筒が搬送されるように前記保持手段が封筒を保持することを制限する制限工程と、
を有することを特徴とする印刷装置の制御方法。
【請求項１３】
所定の後処理装置を接続可能であり、封筒を保持する保持手段を備えた印刷装置の制御方法であって、
長辺側を先端として封筒を搬送するロングエッジフィードまたは短辺側を先端として封筒を搬送するショートエッジフィードで、前記保持手段に保持された封筒を搬送する搬送工程と、
前記搬送工程で搬送される封筒に画像を印刷する印刷工程と、
前記保持手段に保持された封筒が、前記ロングエッジフィードで搬送されるように保持されているか、前記ショートエッジフィードで搬送されるように保持されているかを登録する登録工程と、
前記所定の後処理装置が接続されているか否かを判定する判定工程と、
前記判定工程で前記所定の後処理装置が接続されていると判定されたことに基づき、前記ロングエッジフィードで搬送されるように封筒が保持されていると前記登録工程で登録することを制限する制限工程と、
を有することを特徴とする印刷装置の制御方法。
【請求項１４】
複数種類の後処理装置を接続可能な印刷装置の制御方法であって、
長辺側を先端として封筒を搬送するロングエッジフィードまたは短辺側を先端として封筒を搬送するショートエッジフィードで封筒を搬送する搬送工程と、
前記搬送工程で搬送される封筒に画像を印刷する印刷工程と、
接続されている後処理装置が第１の種類の後処理装置である場合は、前記ロングエッジフィードでの封筒の搬送を制限し、接続されている後処理装置が第２の種類の後処理装置である場合は、前記ロングエッジフィードでの封筒の搬送を制限しないよう制御する制御工程と、
を有することを特徴とする印刷装置の制御方法。
【請求項１５】
複数種類の後処理装置を接続可能であり、封筒を保持する保持手段を備えた印刷装置の制御方法であって、
長辺側を先端として封筒を搬送するロングエッジフィードまたは短辺側を先端として封筒を搬送するショートエッジフィードで、前記保持手段に保持された封筒を搬送する搬送工程と、
前記搬送工程で搬送される封筒に画像を印刷する印刷工程と、
接続されている後処理装置が第１の種類の後処理装置である場合は、前記ロングエッジフィードでの封筒が搬送されるように前記保持手段が封筒を保持することを制限し、接続されている後処理装置が第２の種類の後処理装置である場合は、前記ロングエッジフィードでの封筒が搬送されるように前記保持手段が封筒を保持することを制限しないよう制御する制御工程と、
を有することを特徴とする印刷装置の制御方法。
【請求項１６】
複数種類の後処理装置を接続可能であり、封筒を保持する保持手段を備えた印刷装置の制御方法であって、
長辺側を先端として封筒を搬送するロングエッジフィードまたは短辺側を先端として封筒を搬送するショートエッジフィードで、前記保持手段に保持された封筒を搬送する搬送工程と、
前記搬送工程で搬送される封筒に画像を印刷する印刷工程と、
前記保持手段に保持された封筒が、前記ロングエッジフィードで搬送されるように保持されているか、前記ショートエッジフィードで搬送されるように保持されているかを登録する登録工程と、
接続されている後処理装置が第１の種類の後処理装置である場合は、前記ロングエッジフィードで搬送されるように封筒が保持されていると前記登録工程で登録することを制限し、接続されている後処理装置が第２の種類の後処理装置である場合は、前記ロングエッジフィードで搬送されるように封筒が保持されていると前記登録工程で登録することを制限しないよう制御する制御工程と、
を有することを特徴とする印刷装置の制御方法。
【請求項１７】
コンピュータを、請求項１乃至１０のいずれか１項に記載の印刷装置の各手段として機能させるためのプログラム。
【手続補正２】
【補正対象書類名】明細書
【補正対象項目名】０００７
【補正方法】変更
【補正の内容】
【０００７】
本発明は、封筒をロングエッジフィードで搬送することが可能な構成において、所定の後処理装置が接続された場合に、封筒がロングエッジフィードで搬送されることを防ぐ技術を提供することを目的とする。
【手続補正３】
【補正対象書類名】明細書
【補正対象項目名】０００８
【補正方法】変更
【補正の内容】
【０００８】
上記課題を解決するために本発明の一態様に係る印刷装置は以下のような構成を備える。即ち、所定の後処理装置を接続可能な印刷装置であって、長辺側を先端として封筒を搬送するロングエッジフィードまたは短辺側を先端として封筒を搬送するショートエッジフィードで封筒を搬送する搬送手段と、前記搬送手段によって搬送される封筒に画像を印刷する印刷手段と、前記所定の後処理装置が接続されているか否かを判定する判定手段と、前記判定手段によって前記所定の後処理装置が接続されていると判定されたことに基づき、前記ロングエッジフィードでの封筒の搬送を制限する制限手段と、を備えることを特徴とする。
【手続補正４】
【補正対象書類名】明細書
【補正対象項目名】０００９
【補正方法】変更
【補正の内容】
【０００９】
本発明によれば、封筒をロングエッジフィードで搬送することが可能な構成において、所定の後処理装置が接続された場合に、封筒がロングエッジフィードで搬送されることを防ぐことができる。